(57)【要約】【課題】建物の平面計画が決まらなくても、予めプレキャストコンクリート板を製造することにより、効率的な構築ができるプレキャストコンクリート板、スラブおよびその構築方法を提供することである。【解決手段】プレキャストコンクリート板１は、三角形の頂点に配筋された一本の上端筋５と二本の下端筋６とが波形のラチス筋７で連結されてなるトラス筋３が、二本の下端筋６を上側にしてコンクリート板２に配筋され、前記下端筋６の間には長さ方向に沿って引張材４が配線され、該引張材４は、下端筋６の端部に設置した掛止具８で両端部を上側にした湾曲状である。【選択図】  図１
2005016157.tif 000002
【特許請求の範囲】
【請求項１】
三角形の頂点に配筋された一本の上端筋と二本の下端筋とが波形のラチス筋で連結されてなるトラス筋が、二本の下端筋を上側にしてコンクリート板に配筋され、前記下端筋の間には長さ方向に沿って引張材が配線され、該引張材は、下端筋の端部に設置した掛止具で両端部を上側にした湾曲状であることを特徴とするプレキャストコンクリート板。
【請求項２】
引張材の一部がコンクリート板内に埋設されたことを特徴とする請求項１に記載のプレキャストコンクリート板。
【請求項３】
下端筋間のコンクリート板に凹溝が設けられ、該凹溝内に引張材の一部が配線されたことを特徴とする請求項１に記載のプレキャストコンクリート板。
【請求項４】
トラス筋が配筋された所定の大きさのプレキャストコンクリート板を標準板とするプレキャストコンクリート板と、トラス筋が配筋された他の大きさのプレキャストコンクリート板とが梁間に設置されて形成された下床上にコンクリートが打設され、前記トラス筋は波形のラチス筋で一本の上端筋に連結された二本の下端筋を上側にしてコンクリート板に配筋され、前記下端筋の間に長さ方向に沿って配線された引張材が所定の力で緊張されてなることを特徴とするスラブ。
【請求項５】
引張材の一部がコンクリート板内に埋設されたことを特徴とする請求項４に記載のスラブ。
【請求項６】
下端筋間のコンクリート板に凹溝が設けられ、該凹溝内に引張材の一部が配線されたことを特徴とする請求項４に記載のスラブ。
【請求項７】
三角形の頂点に配筋された一本の上端筋と二本の下端筋とが波形のラチス筋で連結されてなるトラス筋が、二本の下端筋を上側にしてコンクリート板に配筋された所定の大きさのプレキャストコンクリート板を標準板とし、この標準板のプレキャストコンクリート板と、三角形の頂点に配筋された一本の上端筋と二本の下端筋とが波形のラチス筋で連結されてなるトラス筋が、二本の下端筋を上側にしてコンクリート板に配筋された他の大きさのプレキャストコンクリート板とを梁間に設置して下床を形成し、該下床のトラス筋に沿って引張材を配線し、該引張材が配線された下床上にコンクリートを打設し、該コンクリートが硬化した後に前記引張材を所定の力で緊張して定着することを特徴とするスラブの構築方法。
【発明の詳細な説明】
【０００１】
【発明の属する技術分野】
本発明はプレキャストコンクリート板、スラブおよびその構築方法に関するものである。
【０００２】
【従来の技術】
従来のスラブとしては、例えば特開２０００−３５６００１号公報の発明がある。このスラブはトラス筋が配筋された一枚のプレキャストコンクリート板が梁間にわたって隣接状に敷設されて下床が形成され、該下床上にコンクリートが打設されて形成されていた。
【０００３】
【特許文献１】
特開２０００−３５６００１号公報（図１６）
【０００４】
【発明が解決しようとする課題】
しかし、上記のスラブは梁間に一枚のプレキャストコンクリート板を設置して構築していたため、建物の平面計画が決まらなければプレキャストコンクリート板の製造ができなかった。これは平面計画が決まらなければプレキャストコンクリート板の鉄筋が算定できないため、プレキャストコンクリート板の製造が受注生産となってスラブの効率的な構築ができないという問題になっていた。
【０００５】
本発明はこれらの問題に鑑みてなされたものであり、その目的は、建物の平面計画が決まらなくても、予めプレキャストコンクリート板を製造することにより、効率的な構築ができるプレキャストコンクリート板、スラブおよびその構築方法を提供することである。
【０００６】
【課題を解決するための手段】
以上の課題を解決するためのプレキャストコンクリート板は、三角形の頂点に配筋された一本の上端筋と二本の下端筋とが波形のラチス筋で連結されてなるトラス筋が、二本の下端筋を上側にしてコンクリート板に配筋され、前記下端筋の間には長さ方向に沿って引張材が配線され、該引張材は、下端筋の端部に設置した掛止具で両端部を上側にした湾曲状であることを特徴とする。また引張材の一部がコンクリート板内に埋設されたことを含む。また下端筋間のコンクリート板に凹溝が設けられ、該凹溝内に引張材の一部が配線されたことを含むものである。
【０００７】
またスラブは、トラス筋が配筋された所定の大きさのプレキャストコンクリート板を標準板とするプレキャストコンクリート板と、トラス筋が配筋された他の大きさのプレキャストコンクリート板とが梁間に設置されて形成された下床上にコンクリートが打設され、前記トラス筋は波形のラチス筋で一本の上端筋に連結された二本の下端筋を上側にしてコンクリート板に配筋され、前記下端筋の間に長さ方向に沿って配線された引張材が所定の力で緊張されてなることを特徴とする。また引張材の一部がコンクリート板内に埋設されたことを含む。またコンクリート板に凹溝が設けられ、該凹溝内に引張材の一部が配線されたことを含むものである。
【０００８】
またスラブの構築方法は、三角形の頂点に配筋された一本の上端筋と二本の下端筋とが波形のラチス筋で連結されてなるトラス筋が、二本の下端筋を上側にしてコンクリート板に配筋された所定の大きさのプレキャストコンクリート板を標準板とし、この標準板のプレキャストコンクリート板と、三角形の頂点に配筋された一本の上端筋と二本の下端筋とが波形のラチス筋で連結されてなるトラス筋が、二本の下端筋を上側にしてコンクリート板に配筋された他の大きさのプレキャストコンクリート板とを梁間に設置して下床を形成し、該下床のトラス筋に沿って引張材を配線し、該引張材が配線された下床上にコンクリートを打設し、該コンクリートが硬化した後に前記引張材を所定の力で緊張して定着することを特徴とする。
【０００９】
プレキャストコンクリート板のトラス筋に沿って引張材が予め湾曲状に配線される。また湾曲状に配線された引張材の一部がコンクリート内に埋設されたことにより、引張材をプレキャストコンクリート板と一体にすることができる。プレキャストコンクリート板におけるコンクリート板の凹溝に、湾曲状の引張材の一部を配線することができるので、コンクリート板と引張材とを一体にすることができる。
【００１０】
建物の平面計画が決まらなくても標準板であるプレキャストコンクリート板が予め製造できるので、このプレキャストコンクリート板でスラブの所定箇所を構築し、残りの箇所を他のプレキャストコンクリート板、すなわち受注生産されたプレキャストコンクリート板で構築できる。また、予め配線された引張材で応力を負担することにより、プレキャストコンクリート板に配筋する鉄筋を平面計画によらずに決定することができる。
【００１１】
引張材が予め配線されたプレキャストコンクリート板により、大スパンのスラブの構築が簡単になる。
【００１２】
【発明の実施の形態】
以下、本願発明のプレキャストコンクリート板（以下、ＰＣ板という）、スラブおよびその構築方法の実施の形態を図面に基づいて詳細に説明する。はじめにＰＣ板について説明し、次いでこのＰＣ板を使用したスラブおよびその構築方法について説明する。
【００１３】
図１〜図３は第１の実施の形態を示すＰＣ板１であり、このＰＣ板１はコンクリート板２の上面に三角柱のトラス筋３がＶ字状に配筋され、このトラス筋３に沿って予め引張材４が配線されて構成されている。このトラス筋３は、三角形の頂点に配筋された一本の上端筋５と二本の下端筋６とが波形のラチス筋７で連結されて形成され、二本の下端筋６が上側、すなわち一本の上端筋５がコンクリート板２に埋設された状態で配筋されている。
【００１４】
また引張材４はアンボンドケーブルであり、下端筋６間に掛け渡した掛止具８の上に設置されて、中央部から両端部側に向かって漸次上側に傾斜するように湾曲している。このように下端筋６が上側に位置しているため、下端筋６間には掛止具８が設置でき、この掛止具８により引張材４が湾曲状に配線しやすくなっている。
【００１５】
また図４〜図６は第２の実施の形態のＰＣ板９を示し、このＰＣ板９は引張材４の中央部がコンクリート板２内に予め埋設されたものであり、これ以外は上記の第１の実施の形態のＰＣ板１と同じ構成である。このようにするとコンクリート板２の上側へのむくりを大きくとることができる。
【００１６】
また図７〜図９は第３の実施の形態のＰＣ板１０を示し、このＰＣ板１０は引張材４の中央部がコンクリート板２の凹溝１１に配線されたものであり、これ以外は上記の第１の実施の形態のＰＣ板１と同じ構成である。このようにするとコンクリート板２上に打設したトップコンクリートによって引張材４の中央部をプレキャストコンクリート板１０内に埋設することができる。
【００１７】
また図１０は第１の実施の形態のスラブ１２である。このスラブ１２は、所定の大きさの上記ＰＣ板１を標準板とするＰＣ板（以下、標準ＰＣ板という）１３と、他の大きさのＰＣ板（以下、他のＰＣ板という）１４、１５とにより形成された下床１６と、該下床１６上に打設されたコンクリート１７と、下床１６上のトラス筋３に沿って配設された引張材４とから構成されている。すなわち長さ方向に並べられた複数のＰＣ板１３、１４、１５が引張材４で接続されて構築されたものである。
【００１８】
ここに標準ＰＣ板１３とは、図１０に示すように、所定の大きさのＰＣ板、すなわち一枚で梁間に設置可能なＰＣ板の半分、または３分の１の大きさのものをいうが、この大きさは任意であり、例えば２ｍ×４ｍや２．５ｍ×５ｍなどのものがある。
【００１９】
一方、他のＰＣ板１４とは、標準ＰＣ板１３の設置箇所以外の箇所に設置するために受注生産されるものであり、標準ＰＣ板１３と同じ長さか、またはそれより短いものをいう。
【００２０】
このように梁１８、１９で囲まれた空間の所定箇所には標準ＰＣ板１３が敷設され、残りの箇所には他のＰＣ板１４、１５が敷設されて下床１６を形成している。すなわち短辺側の梁１８間には二枚の標準ＰＣ板１３と、他のＰＣ板１４とが引張材４で接続されて一枚板となったＰＣ板２０が、３列隣接して設置されている。
【００２１】
また、これらのＰＣ板２０の隣には、標準ＰＣ板１３と同じ長さで、かつ幅狭な他のＰＣ板１４と、標準ＰＣ板１３よりも短く、かつ幅狭な他のＰＣ板１５とが接続されて一枚となったＰＣ板２１が設置されている。
【００２２】
したがって、図１において斜線の部分２２は、予め製造された標準ＰＣ板１３で形成され、他の部分２３は他のＰＣ板１４、１５で形成されている。
【００２３】
このように梁１８、１９で囲まれた空間の所定箇所を標準ＰＣ板１３で形成できるので、建物の平面計画が決まる前であっても、標準ＰＣ板３を製造することができる。また、引張材４で応力を負担することにより、標準ＰＣ板１３に配筋される鉄筋も平面計画が決まる前に決定することができる。
【００２４】
また図１１は第２の実施の形態のスラブ２４である。このスラブ２４は、標準ＰＣ板１３の間に、標準ＰＣ板１３よりも厚さの薄い他のＰＣ板２５を設置したものであり、これ以外は第１の実施のスラブ１２と同じ構成である。このように厚さの薄い他のＰＣ板２５を設置すると、引張材４を標準ＰＣ板１３よりも下側に配設することができるので、大スパンのスラブの構築ができる。
【００２５】
上記のように平面計画にとらわれない標準ＰＣ板１３を予め製造しておくことにより、種々の平面計画に応じて標準ＰＣ板１３と他のＰＣ板２５とを任意に組み合わせてスラブ１２、２４を構築することができる。
【００２６】
次に、上記のスラブの構築方法を、第１の実施の形態のスラブ１２を用いて説明する。はじめに、建物の平面計画が決まる前に、予め図３に示す標準ＰＣ板１３を製造しておく。
【００２７】
そして、建物の平面計画が決まった後には、図１０に示すように、梁１８、１９で囲まれた空間の所定箇所に標準ＰＣ板１３を設置するとともに、残りの箇所に見合う大きさの他のＰＣ板１４、１５を受注生産し、これを残りの箇所に設置する。そして、これらを支保工（図示せず）で支持して、下床１６を形成する。次に、各ＰＣ板１３、１４、１５の引張材４同士を連結して下床１６全体にわたって引張材４を配線する。この引張材４により応力を負担することができるので、ＰＣ板１３、１４、１５同士の接合部に配筋される連結筋（添え筋）を省略することもできる。
【００２８】
次に、この引張材４が配線された下床１６上にコンクリート１７を打設し、このコンクリート１７が所定の強度を発現した後に、引張材４を所定の力で緊張して定着することにより、所定のプレストレスが付与されたスラブ１２が構築される。
【００２９】
なお、第２の実施の形態のスラブ２４の場合も、上記と同じ方法で構築するものとする。
【００３０】
【発明の効果】
ＰＣ板のトラス筋に沿って予め引張材が湾曲状に配線される。また湾曲状に配線された引張材の一部がコンクリート内に埋設されたことにより、引張材をＰＣ板と一体にすることができる。ＰＣ板におけるコンクリート板の凹溝に、湾曲状の引張材の一部を配線することができるので、コンクリート板と引張材とを一体にすることができる。
【００３１】
建物の平面計画が決まらなくても標準板であるＰＣ板が予め製造できるので、このＰＣ板でスラブの所定箇所を構築し、残りの箇所を他のＰＣ板、すなわち受注生産されたＰＣ板で構築できる。また、予め配線された引張材で応力を負担することにより、ＰＣ板に配筋する鉄筋を平面計画によらずに決定することができる。
【００３２】
引張材が予め配線されたＰＣ板により、大スパンのスラブの構築が簡単になる。根切りから埋戻しまでの期間が短いので、工期を大幅に短縮することができる。
【図面の簡単な説明】
【図１】第１の実施の形態のＰＣ板の平面図である。
【図２】（１）は図１のＡ−Ａ線断面図、（２）は同Ｂ−Ｂ線断面図である。
【図３】図１のＣ−Ｃ線断面図である。
【図４】第２の実施の形態のＰＣ板の平面図である。
【図５】（１）は図４のＤ−Ｄ線断面図、（２）は同Ｅ−Ｅ線断面図である。
【図６】図４のＦ−Ｆ線断面図である。
【図７】第３の実施の形態のＰＣ板の平面図である。
【図８】（１）は図７のＧ−Ｇ線断面図、（２）は同Ｈ−Ｈ線断面図である。
【図９】図７のＩ−Ｉ線断面図である。
【図１０】第１の実施の形態のスラブの断面図である。
【図１１】図１０のＪ−Ｊ線断面図である。
【図１２】第２の実施の形態のスラブの断面図である。
【図１３】図１２のＫ−Ｋ線断面図である。
【符号の説明】
１、９、１０  ＰＣ板
２  コンクリート板
３  トラス筋
４  引張材
５  上端筋
６  下端筋
７  ラチス筋
８  掛止具
１１  凹溝
１２、２４  スラブ
１３  標準ＰＣ板
１４、１５、２５  他のＰＣ板
１６  下床
１７  コンクリート
１８、１９  梁
２０、２１  一枚板のＰＣ板
２２  斜線の部分
２３  他の部分
【図１】
2005016157.tif 000003
【図２】
2005016157.tif 000004
【図３】
2005016157.tif 000005
【図４】
2005016157.tif 000006
【図５】
2005016157.tif 000007
【図６】
2005016157.tif 000008
【図７】
2005016157.tif 000009
【図８】
2005016157.tif 000010
【図９】
2005016157.tif 000011
【図１０】
2005016157.tif 000012
【図１１】
2005016157.tif 000013
【図１２】
2005016157.tif 000014
【図１３】
2005016157.tif 000015